(57)【特許請求の範囲】
【請求項１】
共有基準信号を復調するための方法であって、
端末装置がネットワーク装置から送信された第一の指示情報を受信することであって、前記第一の指示情報が前記端末装置に割り当てられたターゲットリソースグループのリソース情報を示すことに用いられ、前記第一の指示情報は具体的に、前記ターゲットリソースグループに含まれる物理リソースブロック（ＰＲＢ）を示すことに用いられる、ことと、
前記端末装置が、前記ターゲットリソースグループに含まれるＰＲＢから確定された前記ターゲットリソースグループのリソースサイズに基づき、共有基準信号のシーケンスの長さを確定することであって、前記共有基準信号が複数の端末装置によって共有される基準信号であり、前記共有基準信号のシーケンスの長さが前記共有基準信号を復調することに用いられる、こととを含み、
前記端末装置がネットワーク装置から送信された第一の指示情報を受信する前に、前記方法はさらに、
前記端末装置が前記ネットワーク装置から送信された第二の指示情報を受信し、前記第二の指示情報が前記端末装置に割り当てられた初期動作帯域幅を示すことに用いられ、前記初期動作帯域幅がシステム帯域幅より小さいことと、
前記端末装置が前記初期動作帯域幅、及び前記初期動作帯域幅と基準信号のシーケンスの長さとの第一のプリセット関係に基づき、前記共有基準信号のシーケンスの長さを確定することとを含む、前記共有基準信号を復調するための方法。
【請求項２】
前記端末装置が、前記ターゲットリソースグループに含まれるＰＲＢから確定された前記ターゲットリソースグループのリソースサイズに基づき、前記共有基準信号のシーケンスの長さを確定することは、
前記端末装置が前記ターゲットリソースグループに含まれるＰＲＢから確定された前記ターゲットリソースグループのリソースサイズ、及びリソースサイズと基準信号のシーケンスの長さとの第二のプリセット関係に基づき、前記共有基準信号のシーケンスの長さを確定することを含むことを特徴とする
請求項１に記載の方法。
【請求項３】
前記第二のプリセット関係は基準信号のシーケンスの長さがリソースサイズのＮ倍であることを示し、ここで、Ｎが１以上の整数であることを特徴とする
請求項２に記載の方法。
【請求項４】
前記Ｎが第一の値の整数倍であり、ここで、前記第一の値が前記端末装置と前記ネットワーク装置によって予め定められた値であることを特徴とする
請求項３に記載の方法。
【請求項５】
端末装置であって、
ネットワーク装置から送信された第一の指示情報を受信するように構成される受信モジュールであって、前記第一の指示情報が前記端末装置に割り当てられたターゲットリソースグループのリソース情報を示すことに用いられ、前記第一の指示情報は具体的に、前記ターゲットリソースグループに含まれる物理リソースブロック（ＰＲＢ）を示すことに用いられる、受信モジュールと、
前記ターゲットリソースグループに含まれるＰＲＢから確定された前記ターゲットリソースグループのリソースサイズに基づき、共有基準信号のシーケンスの長さを確定するように構成され、ここで、前記共有基準信号が複数の端末装置によって共有される基準信号であり、前記共有基準信号のシーケンスの長さが共有基準信号を復調することに用いられる確定モジュールと、を備え、
前記受信モジュールが前記ネットワーク装置から送信された前記第一の指示情報を受信する前に、前記受信モジュールはさらに前記ネットワーク装置から送信された第二の指示情報を受信するように構成され、前記第二の指示情報が前記端末装置に割り当てられた初期動作帯域幅を示すことに用いられ、前記初期動作帯域幅がシステム帯域幅より小さく、
前記確定モジュールは具体的に前記初期動作帯域幅、及び前記初期動作帯域幅と基準信号のシーケンスの長さとの第一のプリセット関係に基づき、前記共有基準信号のシーケンスの長さを確定するように構成される、前記端末装置。
【請求項６】
前記確定モジュールは具体的に、
前記ターゲットリソースグループに含まれるＰＲＢから確定された前記ターゲットリソースグループのリソースサイズ、及びリソースサイズと基準信号のシーケンスの長さとの第二のプリセット関係に基づき、前記共有基準信号のシーケンスの長さを確定するように構成されることを特徴とする
請求項５に記載の端末装置。
【請求項７】
前記第二のプリセット関係は基準信号のシーケンスの長さがリソースサイズのＮ倍であることを示し、ここで、Ｎが１以上の整数であることを特徴とする
請求項６に記載の端末装置。
【請求項８】
前記Ｎが第一の値の整数倍であり、ここで、前記第一の値が前記端末装置と前記ネットワーク装置によって予め定められた値であることを特徴とする
請求項７に記載の端末装置。
【請求項９】
共有基準信号を復調するための方法であって、
ネットワーク装置が第一の指示情報を確定することであって、前記第一の指示情報が端末装置に割り当てられたターゲットリソースグループのリソース情報を示すことに用いられ、前記第一の指示情報は具体的に、前記ターゲットリソースグループに含まれる物理リソースブロック（ＰＲＢ）を示すことに用いられる、ことと、
ネットワーク装置が前記第一の指示情報を前記端末装置に送信することにより、前記端末装置が、前記ターゲットリソースグループに含まれるＰＲＢから確定された前記ターゲットリソースグループのリソースサイズに基づき、共有基準信号のシーケンスの長さを確定するようにすることであって、前記共有基準信号が複数の端末装置によって共有される基準信号であり、前記共有基準信号のシーケンスの長さが前記共有基準信号を復調することに用いられる、こととを含み、
前記ネットワーク装置が前記第一の指示情報を前記端末装置に送信する前に、前記方法はさらに、
前記ネットワーク装置が第二の指示情報を前記端末装置に送信することを含み、前記第二の指示情報は、前記端末装置に割り当てられた初期動作帯域幅を示すことに用いられ、前記端末装置は、前記初期動作帯域幅、及び前記初期動作帯域幅と基準信号のシーケンスの長さとの第一のプリセット関係に基づき、前記共有基準信号のシーケンスの長さを確定でき、前記初期動作帯域幅がシステム帯域幅より小さい、前記共有基準信号を復調するための方法。
【請求項１０】
ネットワーク装置であって、
第一の指示情報を確定するように構成される確定モジュールであって、前記第一の指示情報が端末装置に割り当てられたターゲットリソースグループのリソース情報を示すことに用いられ、前記第一の指示情報は具体的に、前記ターゲットリソースグループに含まれる物理リソースブロック（ＰＲＢ）を示すことに用いられる、確定モジュールと、
前記端末装置が、前記ターゲットリソースグループに含まれるＰＲＢから確定された前記ターゲットリソースグループのリソースサイズに基づき、共有基準信号のシーケンスの長さを確定するようにするために、前記第一の指示情報を前記端末装置に送信するように構成される送信モジュールであって、前記共有基準信号が複数の端末装置によって共有される基準信号であり、前記共有基準信号のシーケンスの長さが共有基準信号を復調することに用いられる、送信モジュールと、を備え、
前記送信モジュールが前記第一の指示情報を前記端末装置に送信する前に、前記送信モジュールは、さらに、
第二の指示情報を前記端末装置に送信するように構成され、前記第二の指示情報は、前記端末装置に割り当てられた初期動作帯域幅を示すことに用いられ、前記端末装置は、前記初期動作帯域幅、及び前記初期動作帯域幅と基準信号のシーケンスの長さとの第三のプリセット関係に基づき、前記共有基準信号のシーケンスの長さを確定でき、前記初期動作帯域幅がシステム帯域幅より小さい、前記ネットワーク装置。
【発明の詳細な説明】
【技術分野】
【０００１】
本出願の実施例は通信分野に関し、且つより具体的には、共有基準信号を復調するための方法、端末装置とネットワーク装置に関する。
【背景技術】
【０００２】
長期進化型（ＬＴＥ：Ｌｏｎｇ  Ｔｅｒｍ  Ｅｖｏｌｕｔｉｏｎ」と略称）システムでは、端末装置はネットワーク装置から送信された基準信号に基づいてチャネル測定又はチャネル推定を行うことができ、ここで、基準信号のシーケンスの長さが基準信号の一つの重要なパラメータであり、端末装置が基準信号のシーケンスの長さを知らないと基準信号を復調することができなく、チャネルに対する推定又は測定を実現することができない。ＬＴＥシステムでは、基準信号のシーケンスの長さが一般的にシステム帯域幅の２倍であり、端末装置はシステムメッセージによりシステム帯域幅を取得することができ、さらにシステム帯域幅に基づいて基準信号のシーケンスの長さを知ることができる。
【０００３】
将来の５Ｇシステムでは、端末装置は、システム帯域幅を知らない可能性があるため、ＬＴＥにおける方式に従って共有基準信号のシーケンスの長さを知ることができない。したがって、将来の５Ｇシステムにおいてどのように共有基準信号のシーケンスの長さを確定するかは一つの解決すべき問題である。
【発明の概要】
【発明が解決しようとする課題】
【０００４】
本出願の実施例は共有基準信号を復調するように、共有基準信号を復調するための方法、端末装置とネットワーク装置を提供する。
【課題を解決するための手段】
【０００５】
第一の態様による共有基準信号を復調するための方法は、端末装置がネットワーク装置から送信された第一の指示情報を受信し、前記第一の指示情報が前記端末装置に割り当てられたターゲットリソースグループのリソース情報を示すことに用いられることと、前記端末装置が前記ターゲットリソースグループのリソース情報に基づき、共有基準信号のシーケンスの長さを確定し、ここで、前記共有基準信号が複数の端末装置によって共有される基準信号であり、前記共有基準信号のシーケンスの長さが前記共有基準信号を復調することに用いられることとを含む。
【０００６】
したがって、本出願の実施例では、端末装置はネットワーク装置から送信されたターゲットリソースグループのリソース情報に基づいて基準信号のシーケンスの長さを確定し、さらに共有基準信号を復調し、最終的にチャネル推定又はチャネル測定を実現することができる。
【０００７】
第一の態様と組み合わせ、第一の態様のいくつかの実施形態では、前記第一の指示情報が前記ターゲットリソースグループに含まれるリソース又は前記ターゲットリソースグループに含まれるリソースのリソースサイズを示すことに用いられ、前記端末装置が前記ターゲットリソースグループのリソース情報に基づき、共有基準信号のシーケンスの長さを確定することは、前記端末装置が前記ターゲットリソースグループに含まれるリソースから確定された前記ターゲットリソースグループのリソースサイズ、又は前記第一の指示情報に示される前記ターゲットリソースグループのリソースサイズに基づき、前記共有基準信号のシーケンスの長さを確定することを含む。
【０００８】
第一の態様と組み合わせ、第一の態様のいくつかの実施形態では、前記端末装置が前記ターゲットリソースグループに含まれるリソースから確定された前記ターゲットリソースグループのリソースサイズ、又は前記第一の指示情報に示される前記ターゲットリソースグループのリソースサイズに基づき、前記共有基準信号のシーケンスの長さを確定することは、前記端末装置が前記ターゲットリソースグループに含まれるリソースから確定された前記ターゲットリソースグループのリソースサイズ、又は前記第一の指示情報に示される前記ターゲットリソースグループのリソースサイズ、及びリソースサイズと基準信号のシーケンスの長さとの第一のプリセット関係に基づき、前記共有基準信号のシーケンスの長さを確定することを含む。
【０００９】
第一の態様と組み合わせ、第一の態様のいくつかの実施形態では、前記第一の指示情報が前記ターゲットリソースグループの位置するターゲットリソース区間に含まれるリソース又は前記ターゲットリソース区間に含まれるリソースのリソースサイズを示すことに用いられ、前記端末装置が前記ターゲットリソースグループのリソース情報に基づき、共有基準信号のシーケンスの長さを確定することは、前記端末装置が前記ターゲットリソース区間に含まれるリソースから確定された前記ターゲットリソース区間のリソースサイズ、又は前記第一の指示情報に示される前記ターゲットリソース区間のリソースサイズに基づき、前記共有基準信号のシーケンスの長さを確定することを含む。
【００１０】
第一の態様と組み合わせ、第一の態様のいくつかの実施形態では、前記端末装置が前記ターゲットリソース区間に含まれるリソースから確定された前記ターゲットリソース区間のリソースサイズ、又は前記第一の指示情報に示される前記ターゲットリソース区間のリソースサイズに基づき、前記共有基準信号のシーケンスの長さを確定することは、前記端末装置が前記ターゲットリソース区間に含まれるリソースから確定された前記ターゲットリソース区間のリソースサイズ、又は前記第一の指示情報に示される前記ターゲットリソース区間のリソースサイズ、及びリソースサイズと基準信号のシーケンスの長さとの第二のプリセット関係に基づき、前記共有基準信号のシーケンスの長さを確定することを含む。
【００１１】
第一の態様と組み合わせ、第一の態様のいくつかの実施形態では、前記第一の指示情報は具体的に前記ターゲットリソースグループに含まれる物理リソースブロック（ＰＲＢ）、又は前記ターゲットリソースグループに含まれるＰＲＢの数を示すことに用いられる。
【００１２】
第一の態様と組み合わせ、第一の態様のいくつかの実施形態では、前記第一の指示情報は具体的に前記ターゲットリソース区間に含まれるＰＲＢ、又は前記ターゲットリソース区間に含まれるＰＲＢの数を示すことに用いられる。
【００１３】
第一の態様と組み合わせ、第一の態様のいくつかの実施形態では、前記第一のプリセット関係は基準信号のシーケンスの長さがリソースサイズのＮ倍であることを示し、ここで、Ｎが１以上の整数である。
【００１４】
第一の態様と組み合わせ、第一の態様のいくつかの実施形態では、前記Ｎが第一の値の整数倍であり、ここで、前記第一の値が前記端末装置と前記ネットワーク装置によって予め定められた値である。
【００１５】
第一の態様と組み合わせ、第一の態様のいくつかの実施形態では、前記第二のプリセット関係は基準信号のシーケンスの長さがリソースサイズのＭ倍であることを示し、ここで、Ｍが１以上の整数である。
【００１６】
第一の態様と組み合わせ、第一の態様のいくつかの実施形態では、前記Ｍが第二の値の整数倍であり、ここで、前記第二の値が前記端末装置と前記ネットワーク装置によって予め定められた値である。
【００１７】
第一の態様と組み合わせ、第一の態様のいくつかの実施形態では、前記端末装置がネットワーク装置から送信された第一の指示情報を受信する前に、前記方法はさらに前記端末装置が前記ネットワーク装置から送信された第二の指示情報を受信し、前記第二の指示情報が前記端末装置に割り当てられた初期動作帯域幅を示すことに用いられ、前記初期動作帯域幅がシステム帯域幅より小さいことと、前記端末装置が前記初期動作帯域幅、及び動作帯域幅と基準信号のシーケンスの長さとの第三のプリセット関係に基づき、前記共有基準信号のシーケンスの長さを確定することとを含む。
【００１８】
前記第三のプリセット関係は基準信号のシーケンスの長さがリソースサイズのＬ倍であることを示すことに用いられてもよく、ここで、Ｌが１以上の整数である。さらに、Ｌが端末装置と前記ネットワーク装置によって予め定められた第三の値の倍数であってもよい。
【００１９】
第二の態様による共有基準信号を復調するための方法は、端末装置がネットワーク装置から送信された第一の指示情報を受信することと、前記端末装置が前記第一の指示情報に基づいて共有基準信号のシーケンスにおいて前記端末装置に対応するターゲットシーケンスを確定し、ここで、前記共有基準信号が複数の端末装置によって共有される基準信号であり、前記ターゲットシーケンスが前記共有基準信号において前記端末装置に対応するターゲット基準信号を復調することに用いられることとを含む。
【００２０】
本出願の実施例では、端末装置はネットワーク装置からの通知情報により共有基準信号のシーケンスにおいて該端末装置に対応するターゲットシーケンスを確定することができ、そしてターゲットシーケンスに対応するターゲット基準信号を復調することでチャネルに対する推定又は測定を実現することができる。
【００２１】
第二の態様と組み合わせ、第二の態様のいくつかの実施形態では、前記第一の指示情報が前記ターゲットシーケンスの位置情報を示すことに用いられ、前記端末装置が前記第一の指示情報に基づいて共有基準信号のシーケンスにおいて前記端末装置に対応するターゲットシーケンスを確定することは、前記端末装置が前記ターゲットシーケンスの位置情報及び前記ターゲットシーケンスの長さに基づき、前記共有基準信号のシーケンスにおいて前記ターゲットシーケンスを確定することを含む。
【００２２】
第二の態様と組み合わせ、第二の態様のいくつかの実施形態では、前記第一の指示情報は具体的に共有基準信号のシーケンスにおける前記ターゲットシーケンスの開始位置を示すことに用いられる。
【００２３】
第二の態様と組み合わせ、第二の態様のいくつかの実施形態では、前記第一の指示情報が前記ターゲットリソースグループのリソース情報を示すことに用いられ、前記端末装置が前記第一の指示情報に基づいて共有基準信号のシーケンスにおいて前記端末装置に対応するターゲットシーケンスを確定することは、前記端末装置が前記ターゲットリソースグループのリソース情報に基づき、共有基準信号のシーケンスにおける前記ターゲットシーケンスの位置を確定することと、前記端末装置が共有基準信号のシーケンスにおける前記ターゲットシーケンスの位置及び前記ターゲットシーケンスの長さに基づき、前記共有基準信号のシーケンスにおいて前記ターゲットシーケンスを確定することを含む。
【００２４】
第二の態様と組み合わせ、第二の態様のいくつかの実施形態では、前記第一の指示情報は具体的にシステムリソースにおける前記ターゲットリソースグループのリソースの位置を示すことに用いられる。
【００２５】
該システムリソースは端末装置が位置するセルに含まれる全ての時間周波数リソースであってもよい。
【００２６】
第三の態様による共有基準信号を復調するための方法は、ネットワーク装置が第一の指示情報を確定し、前記第一の指示情報が前記端末装置に割り当てられたターゲットリソースグループのリソース情報を示すことに用いられることと、前記端末装置が前記第一の指示情報に基づいて前記ターゲットリソースグループのリソース情報を確定し、そして前記ターゲットリソースグループのリソース情報に基づき、共有基準信号のシーケンスの長さを確定するように、前記ネットワーク装置が前記端末装置へ前記第一の指示情報を送信し、ここで、前記共有基準信号が複数の端末装置によって共有される基準信号であり、前記共有基準信号のシーケンスの長さが前記共有基準信号を復調することに用いられることとを含む。
【００２７】
第三の態様と組み合わせ、第三の態様のいくつかの実施形態では、前記第一の指示情報は前記ターゲットリソースグループに含まれるリソース又は前記ターゲットリソースグループに含まれるリソースのリソースサイズを示すことに用いられる。
【００２８】
第三の態様と組み合わせ、第三の態様のいくつかの実施形態では、前記第一の指示情報は前記ターゲットリソースグループの位置するターゲットリソース区間に含まれるリソース又は前記ターゲットリソース区間に含まれるリソースのリソースサイズを示すことに用いられる。
【００２９】
第三の態様と組み合わせ、第三の態様のいくつかの実施形態では、前記第一の指示情報は具体的に前記ターゲットリソースグループに含まれるＰＲＢ、又は前記ターゲットリソースグループに含まれるＰＲＢの数を示すことに用いられる。
【００３０】
第三の態様と組み合わせ、第三の態様のいくつかの実施形態では、前記第一の指示情報は具体的に前記ターゲットリソース区間に含まれるＰＲＢ、又は前記ターゲットリソース区間に含まれるＰＲＢの数を示すことに用いられる。
【００３１】
第三の態様と組み合わせ、第三の態様のいくつかの実施形態では、前記ネットワーク装置が前記端末装置へ前記第一の指示情報を送信する前に、前記方法はさらに前記端末装置が前記初期動作帯域幅、及び動作帯域幅と基準信号のシーケンスの長さとの第二のプリセット関係に基づき、前記共有基準信号のシーケンスの長さを確定するように、前記ネットワーク装置が前記端末装置へ第二の指示情報を送信し、前記第二の指示情報が前記端末装置に割り当てられた初期動作帯域幅を示すことに用いられ、ここで、前記初期動作帯域幅がシステム帯域幅より小さいことを含む。
【００３２】
第四の態様による共有基準信号を復調するための方法は、ネットワーク装置が第一の指示情報を確定することと、端末装置が前記第一の指示情報に基づいて共有基準信号のシーケンスにおいて前記端末装置に対応するターゲットシーケンスを確定するように、前記ネットワーク装置が端末装置へ前記第一の指示情報を送信し、ここで、前記共有基準信号が複数の端末装置によって共有される基準信号であり、前記ターゲットシーケンスが前記共有基準信号において前記端末装置に対応するターゲット基準信号を復調することに用いられることとを含む。
【００３３】
第四の態様と組み合わせ、第四の態様のいくつかの実施形態では、前記第一の指示情報は前記ターゲットシーケンスの位置情報を示すことに用いられる。
【００３４】
第四の態様と組み合わせ、第四の態様のいくつかの実施形態では、前記第一の指示情報は具体的に共有基準信号のシーケンスにおける前記ターゲットシーケンスの開始位置を示すことに用いられる。
【００３５】
第四の態様と組み合わせ、第四の態様のいくつかの実施形態では、前記第一の指示情報は前記ターゲットリソースグループのリソース情報を示すことに用いられる。
【００３６】
第四の態様と組み合わせ、第四の態様のいくつかの実施形態では、前記第一の指示情報は具体的にシステムリソースにおける前記ターゲットリソースグループのリソースの位置を示すことに用いられる。
【００３７】
第五の態様による端末装置は、上記第一の態様又はその様々な実施形態における方法を実行するためのモジュールを備える。
【００３８】
第六の態様による端末装置は、上記第二の態様又はその様々な実施形態における方法を実行するためのモジュールを備える。
【００３９】
第七の態様によるネットワーク装置は、上記第三の態様又はその様々な実施形態における方法を実行するためのモジュールを備える。
【００４０】
第八の態様によるネットワーク装置は、上記第四の態様又はその様々な実施形態における方法を実行するためのモジュールを備える。
【００４１】
第九の態様による端末装置は、送受信機とプロセッサを備え、前記送受信機とプロセッサが上記第一の態様又はその様々な実施形態における方法を実行するように構成される。
【００４２】
第十の態様による端末装置は、送受信機とプロセッサを備え、前記送受信機とプロセッサが上記第二の態様又はその様々な実施形態における方法を実行するように構成される。
【００４３】
第十一の態様によるネットワーク装置は、プロセッサと送受信機を備え、前記プロセッサと送受信機が上記第三の態様又はその様々な実施形態における方法を実行するように構成される。
【００４４】
第十二の態様によるネットワーク装置は、プロセッサと送受信機を備え、前記プロセッサと送受信機が上記第四の態様又はその様々な実施形態における方法を実行するように構成される。
【００４５】
第十三の態様によるコンピュータ可読媒体は、端末装置で実行されるためのプログラムコードを記憶し、前記プログラムコードが第一の態様及びその様々な実施形態における方法を実行するための命令を含む。
【００４６】
第十四の態様によるコンピュータ可読媒体は、ネットワーク装置で実行されるためのプログラムコードを記憶し、前記プログラムコードが第二の態様及びその様々な実施形態における方法を実行するための命令を含む。
【００４７】
第十五の態様によるコンピュータ可読媒体は、ネットワーク装置で実行されるためのプログラムコードを記憶し、前記プログラムコードが第三の態様及びその様々な実施形態における方法を実行するための命令を含む。
【００４８】
第十六の態様によるコンピュータ可読媒体は、ネットワーク装置で実行されるためのプログラムコードを記憶し、前記プログラムコードが第四の態様及びその様々な実施形態における方法を実行するための命令を含む。
【００４９】
第十七の態様によるシステムチップは、入力インタフェース、出力インタフェース、プロセッサとメモリを備え、該プロセッサが該メモリでのコードを実行することに用いられ、該コードが実行される場合、該プロセッサが前記第一の態様及びその様々な実施形態における方法を実現することができる。
【００５０】
第十八の態様によるシステムチップは、入力インタフェース、出力インタフェース、プロセッサとメモリを備え、該プロセッサが該メモリでのコードを実行することに用いられ、該コードが実行される場合、該プロセッサが前記第二の態様及びその様々な実施形態における方法を実現することができる。
【００５１】
第十九の態様によるシステムチップは、入力インタフェース、出力インタフェース、プロセッサとメモリを備え、該プロセッサが該メモリでのコードを実行することに用いられ、該コードが実行される場合、該プロセッサが前記第三の態様及びその様々な実施形態における方法を実現することができる。
【００５２】
第二十の態様によるシステムチップは、入力インタフェース、出力インタフェース、プロセッサとメモリを備え、該プロセッサが該メモリでのコードを実行することに用いられ、該コードが実行される場合、該プロセッサが前記第四の態様及びその様々な実施形態における方法を実現することができる。
【図面の簡単な説明】
【００５３】
【図１】本出願の実施例の一つの可能な応用シーンを示す概略図である。
【図２】本出願の実施例による共有基準信号を復調するための方法の概略フローチャートである。
【図３】本出願の実施例のターゲットリソースグループの概略図である。
【図４】本出願の実施例による共有基準信号を復調するための方法の概略フローチャートである。
【図５】本出願の実施例による共有基準信号を復調するための方法の概略フローチャートである。
【図６】本出願の実施例による共有基準信号を復調するための方法の概略フローチャートである。
【図７】本出願の実施例による端末装置の概略ブロック図である。
【図８】本出願の実施例による端末装置の概略ブロック図である。
【図９】本出願の実施例によるネットワーク装置の概略ブロック図である。
【図１０】本出願の実施例によるネットワーク装置の概略ブロック図である。
【図１１】本出願の実施例による端末装置の概略ブロック図である。
【図１２】本出願の実施例による端末装置の概略ブロック図である。
【図１３】本出願の実施例によるネットワーク装置の概略ブロック図である。
【図１４】本出願の実施例によるネットワーク装置の概略ブロック図である。
【図１５】本出願の実施例によるシステムチップの概略ブロック図である。
【発明を実施するための形態】
【００５４】
以下に本発明の実施例の図面を組み合わせながら、本出願の実施例における技術的解決策を明確に、全面的に説明する。
【００５５】
理解すべきものとして、本出願の実施例による共有基準信号を復調するための方法は、様々な通信システム、例えばグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、長期進化型（ＬＴＥ：Ｌｏｎｇ  Ｔｅｒｍ  Ｅｖｏｌｕｔｉｏｎ）システム、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）などの現在の通信システム、特に将来の第５世代移動通信技術（５Ｇ）システムに応用されてもよい。
【００５６】
特に、本出願の実施例の技術的解決策は非直交マルチアクセス技術に基づく様々な通信システム、例えばスパースコードマルチアクセス（Ｓｐａｒｓｅ  Ｃｏｄｅ  Ｍｕｌｔｉｐｌｅ  Ａｃｃｅｓｓ：「ＳＣＭＡ」と略称）システム、低密度署名（Ｌｏｗ  Ｄｅｎｓｉｔｙ  Ｓｉｇｎａｔｕｒｅ：「ＬＤＳ」と略称）システムなどに応用されてもよく、当然ＳＣＭＡシステムとＬＤＳシステムが通信分野において他の名称と呼ばれてもよく、さらに、本出願の実施例の技術的解決策は非直交マルチアクセス技術を用いたマルチ搬送波伝送システム、例えば非直交マルチアクセス技術を用いた直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：「ＯＦＤＭ」と略称）、フィルターバンクマルチ搬送波（Ｆｉｌｔｅｒ  Ｂａｎｋ  Ｍｕｌｔｉ−Ｃａｒｒｉｅｒ；「ＦＢＭＣ」と略称）、汎用周波数分割多重（Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ：「ＧＦＤＭ」と略称）、フィルタ直交周波数分割多重（Ｆｉｌｔｅｒｅｄ−ＯＦＤＭ：「Ｆ−ＯＦＤＭ」と略称）システムなどに応用されてもよい。
【００５７】
本出願の実施例における共有基準信号を復調するための方法、端末装置とネットワーク装置を理解するために、以下にまず図１を組み合わせて本出願の実施例の可能な応用シーンを簡単に説明する。
【００５８】
図１に本出願の実施例に応用される無線通信システム１００が示される。該無線通信システム１００はネットワーク装置１１０を備えることができる。ネットワーク装置１１０は端末装置と通信する装置であってもよい。ネットワーク装置１１０は特定の地理的エリアに対して通信カバレッジを提供することができ、そして該カバレッジに位置する端末装置（例えばＵＥ）と通信を行うことができる。選択可能に、該ネットワーク装置１１０はＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよいし、ＷＣＤＭＡシステムにおける基地局（ＮＢ：ＮｏｄｅＢ）であってもよいし、ＬＴＥシステムにおける進化型基地局（ｅＮＢ又はｅＮｏｄｅＢ：Ｅｖｏｌｕｔｉｏｎａｌ  ＮｏｄｅＢ）であってもよいし、クラウド無線アクセスネットワーク（ＣＲＡＮ：Ｃｌｏｕｄ  Ｒａｄｉｏ  Ａｃｃｅｓｓ  Ｎｅｔｗｏｒｋ）における無線コントローラであってもよく、又は該ネットワーク装置は中継局、アクセスポイント、車載デバイス、ウェアラブルデバイス、将来の５Ｇネットワークにおけるネットワーク側装置又は将来の進化した公衆陸上モバイルネットワーク（ＰＬＭＮ：Ｐｕｂｌｉｃ  Ｌａｎｄ  Ｍｏｂｉｌｅ  Ｎｅｔｗｏｒｋ）におけるネットワーク装置などであってもよい。
【００５９】
該無線通信システム１００はさらにネットワーク装置１１０のカバレッジに位置する少なくとも一つの端末装置１２０を備える。端末装置１２０は移動式又は固定式でもよい。選択可能に、端末装置１２０はアクセス端末、ユーザ装置（ＵＥ：Ｕｓｅｒ  Ｅｑｕｉｐｍｅｎｔ）、加入者ユニット、加入者局、移動局、移動ステーション、遠隔局、遠隔端末、移動装置、ユーザ端末、端末、無線通信装置、ユーザエージェント又はユーザ装置を指すことができる。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａｌ  Ｄｉｇｉｔａｌ  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化したＰＬＭＮネットワークにおける端末装置などであってもよい。
【００６０】
選択可能に、５Ｇシステム又はネットワーク装置は新しい無線（ＮＲ：Ｎｅｗ  Ｒａｄｉｏ）システム又はネットワークとも呼ばれてもよい。
【００６１】
理解すべきものとして、図１に一つのネットワーク装置と２つの端末装置が例示的に示され、選択可能に、該無線通信システム１００は複数のネットワーク装置を備えることができ且つ各ネットワーク装置のカバレッジで他の数の端末装置を備えることができ、本出願の実施例はこれに限定されない。
【００６２】
理解すべきものとして、本明細書で用語「システム」と「ネットワーク」は本明細書で常に互換的に使用される。本明細書では用語「及び／又は」は、関連するオブジェクトの関連関係を記述するためのものだけであり、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【００６３】
図２は本出願の実施例による共有基準信号を復調するための方法の概略フローチャートである。図２に示す方法２００は、２１０と２２０を含む。
【００６４】
２１０において、端末装置はネットワーク装置から送信された第一の指示情報を受信し、第一の指示情報が端末装置に割り当てられたターゲットリソースグループのリソース情報を示すことに用いられる。
【００６５】
上記第一の指示情報はシステムメッセージ、ブロードキャストメッセージ又は無線リソース制御プロトコル（ＲＲＣ：Ｒａｄｉｏ  Ｒｅｓｏｕｒｃｅ  Ｃｏｎｔｒｏｌ）に含まれてもよい。
【００６６】
選択可能に、上記ターゲットリソースグループに占有された帯域幅がシステム帯域幅より小さく、且つ、ターゲットリソースグループが一つのリソースグループであってもよいし、複数のリソースグループであってもよく、図３に示すように、該ターゲットリソースグループがリソースグループ１のみを含むことができ、リソースグループ１とリソースグループ２を同時に含むことができる。ターゲットリソースグループがリソースグループ１のみを含む場合、リソースグループ１における端末装置はいずれもターゲットリソースグループに対応する共有基準信号を用いてチャネル推定又はチャネル測定を行うことができる。ターゲットリソースグループがリソースグループ１とリソースグループ２を含む場合、リソースグループ１とリソースグループ２における端末装置はいずれもターゲットリソースグループに対応する共有基準信号を用いてチャネル推定又はチャネル測定を行うことができる。
【００６７】
また、ここでのリソースグループは一つ又は複数のリソースブロックから構成されてもよく、該リソースブロックが物理リソースブロック（ＰＲＢ：Ｐｈｙｓｉｃａｌ  Ｒｅｓｏｕｒｃｅ  Ｂｌｏｃｋ）であってもよい。
【００６８】
２２０において、端末装置はターゲットリソースグループのリソース情報に基づき、共有基準信号のシーケンスの長さを確定し、ここで、共有基準信号が複数の端末装置によって共有される基準信号であり、共有基準信号のシーケンスの長さが共有基準信号を復調することに用いられる。
【００６９】
理解すべきものとして、端末装置がチャネル推定又はチャネル測定を行う前に、まず共有基準信号のシーケンスの長さを確定し、次に共有基準信号のシーケンスの長さに基づいて共有基準信号を復調し、さらにチャネルに対する測定又は推定を実現する必要がある。
【００７０】
本出願の実施例では、端末装置はネットワーク装置から送信されたターゲットリソースグループのリソース情報に基づいて基準信号のシーケンスの長さを確定し、さらに共有基準信号を復調し、最終的にチャネル推定又はチャネル測定を実現することができる。
【００７１】
理解すべきものとして、複数の端末装置は上記共有基準信号を共有し、そして該共有基準信号を用いてチャネル推定又はチャネル測定を行うことができる。ここでの複数の端末装置は同一のセルに位置する端末装置であってもよいし、同一のビームに位置する端末装置であってもよく、又は同一のグループに位置する端末装置であってもよい。
【００７２】
又は、上記共有基準信号のシーケンスの長さがさらに端末装置とネットワーク装置によって予め定められてもよく（例えば、通信プロトコルにおいて予め定められてもよく）、このようにして端末装置はネットワーク装置から送信された第一の指示情報に基づいて共有基準信号のシーケンスの長さを確定する必要がなく、予約に従って共有参照信号シーケンスの長さを直接確定することができる。
【００７３】
選択可能に、上記第一の指示情報がターゲットリソースグループに含まれるリソース又は前記ターゲットリソースグループに含まれるリソースのリソースサイズを示すことに用いられてもよく、前記端末装置がターゲットリソースグループのリソース情報に基づき、共有基準信号のシーケンスの長さを確定することは、端末装置がターゲットリソースグループに含まれるリソースから確定されたターゲットリソースグループのリソースサイズ、又は第一の指示情報に示されるターゲットリソースグループのリソースサイズに基づき、共有基準信号のシーケンスの長さを確定することを含む。
【００７４】
即ち、第一の指示情報がターゲットリソースグループに含まれるリソースのリソースサイズを直接示す場合、端末装置はターゲットリソースグループのリソースサイズに基づいて共有基準信号のシーケンスの長さを直接確定することができる。第一の指示情報がターゲットリソースグループに含まれるリソースを示す（例えば、第一の指示情報がターゲットリソースグループに含まれるリソースのインデックスを示すことができる）場合、端末装置はまずターゲットリソースグループに含まれるリソースに基づいてターゲットリソースグループのリソースサイズを確定し、次にターゲットリソースグループのリソースサイズに基づいて共有基準信号のシーケンスの長さを確定することができる。
【００７５】
さらに、端末装置がターゲットリソースグループに含まれるリソースのリソースサイズ、又は、第一の指示情報に示されるターゲットリソースグループのリソースサイズに基づき、共有基準信号のシーケンスの長さを確定することは、具体的に端末装置がターゲットリソースグループに含まれるリソースから確定されたターゲットリソースグループのリソースサイズ、又は第一の指示情報に示されるターゲットリソースグループのリソースサイズ、及びリソースサイズと基準信号のシーケンスの長さとの第一のプリセット関係に基づき、共有基準信号のシーケンスの長さを確定することを含むことができる。
【００７６】
上記リソースサイズはＰＲＢの数又は他のリソースブロックの数で表されてもよく、本出願の実施例はこれに限定されない。
【００７７】
選択可能に、上記第一の指示情報は具体的にターゲットリソースグループに含まれるＰＲＢ、又はターゲットリソースグループに含まれるＰＲＢの数を示すことに用いられてもよい。
【００７８】
具体的には、例えば、第一の指示情報はターゲットリソースグループに３つのＰＲＢが含まれることを直接示すことができ、また、第一の指示情報はターゲットリソースグループに番号１、３及び５のＰＲＢが含まれることを示すこともでき、このようにして端末装置はターゲットリソースグループに含まれる番号１、３及び５のＰＲＢに基づいてターゲットリソースグループに３つのＰＲＢが含まれることを確定することができる。
【００７９】
選択可能に、上記第一のプリセット関係は基準信号のシーケンスの長さがターゲットリソースグループのリソースサイズのＮ倍であることを示すことに用いられてもよく、ここで、Ｎが１以上の整数である。例えば、ターゲットリソースグループのリソースサイズが３つのＰＲＢである場合、共有基準信号のシーケンスの長さは９つのＰＲＢであってもよい（この時にＮが３である）。
【００８０】
さらに、上記Ｎの値は第一の値の整数倍であってもよく、ここで、第一の値が端末装置と前記ネットワーク装置によって定められた値、又は通信プロトコルにおいて予め定められた値である。即ち、Ｎの値の範囲が大きいが、通信過程におけるいくつかの特殊な要求を考慮し、Ｎの値がいくつかの値の整数倍である必要があり、例えばＮが４、８等の値の倍数であってもよい。
【００８１】
選択可能に、上記第一の指示情報がさらにターゲットリソースグループの位置するターゲットリソース区間に含まれるリソース又は前記ターゲットリソースグループに含まれるリソースのリソースサイズを示すことに用いられてもよく、この時、端末装置がターゲットリソース区間のリソース情報に基づき、共有基準信号のシーケンスの長さを確定することは、端末装置がターゲットリソース区間に含まれるリソースから確定されたターゲットリソース区間のリソースサイズ、又は第一の指示情報に示されるターゲットリソース区間のリソースサイズに基づき、共有基準信号のシーケンスの長さを確定することを含む。
【００８２】
理解すべきものとして、上記ターゲットリソース区間はターゲットリソースグループにおける最大番号のＰＲＢと最小番号のＰＲＢの間の一つのセグメントの連続したリソース区間であってもよく、且つ該ターゲットリソース区間は該最大番号のＰＲＢと最小番号のＰＲＢを含む。例えば、ターゲットリソースグループが、番号がそれぞれ１、３及び５である３つのＰＲＢを含む場合、ターゲットリソース区間は番号１−５の５つのＰＲＢを含み、ここで、番号が２及び４であるＰＲＢはターゲットリソースグループ以外のリソースグループに属するＰＲＢである。
【００８３】
図２を例とし、ターゲットリソースグループがリソースグループ１とリソースグループ２を含み、且つリソースグループ２に番号１−３のＰＲＢが含まれ、リソースグループ１に番号８−１０のＰＲＢが含まれ、リソースグループ１とリソースグループ２の間に番号４−７のＰＲＢが含まれる場合、ターゲットリソース区間は番号１−１０の１０つのＰＲＢを含み、且つターゲットリソースグループは番号１−３及び番号８−１０の６つのＰＲＢのみを含む。
【００８４】
具体的には、第一の指示情報がターゲットリソース区間に含まれるリソースのリソースサイズを直接示す場合、端末装置はターゲットリソース区間のリソースサイズに基づいて共有基準信号のシーケンスの長さを直接確定することができる。第一の指示情報がターゲットリソース区間に含まれるリソースを示す（例えばターゲットリソース区間に含まれるリソースのインデックスを示すことができる）場合、端末装置はまずターゲットリソース区間に含まれるリソースに基づいてターゲットリソース区間のリソースサイズを確定し、次にターゲットリソース区間のリソースサイズに基づいて共有基準信号のシーケンスの長さを確定することができる。
【００８５】
さらに、端末装置がターゲットリソース区間に含まれるリソースのリソースサイズ、又は第一の指示情報に示されるターゲットリソース区間のリソースサイズに基づき、共有基準信号のシーケンスの長さを確定することは、具体的に端末装置がターゲットリソース区間に含まれるリソースから確定されたターゲットリソース区間のリソースサイズ、又は第一の指示情報に示されるターゲットリソース区間のリソースサイズ、及びリソースサイズと基準信号のシーケンスの長さとの第二のプリセット関係に基づき、共有基準信号のシーケンスの長さを確定することを含むことができる。
【００８６】
選択可能に、上記第一の指示情報は具体的にターゲットリソース区間に含まれるＰＲＢ、又はターゲットリソース区間に含まれるＰＲＢの数を示すことに用いられてもよい。
【００８７】
一般的には、ターゲットリソース区間に含まれるＰＲＢの数がターゲットリソースグループに含まれるＰＲＢの数より大きい。このようにして端末装置がターゲットリソース区間のリソースサイズに基づいて確定した共有基準信号のシーケンスの長さはターゲットリソースグループのリソースサイズに基づいて確定された共有基準信号のシーケンスの長さより長い可能性があり、端末装置が共有基準信号に基づいてチャネル推定又はチャネル測定を実現することを容易にする。
【００８８】
上記第二のプリセット関係は第一のプリセット関係と類似してもよく、第二のプリセット関係は共有基準信号のシーケンスの長さがターゲットリソース区間のリソースサイズのＭ倍であることを示すことができ、ここで、Ｍが１以上の整数である。例えば、ターゲットリソース区間のリソースサイズが３つのＰＲＢである場合、共有基準信号のシーケンスの長さは１２つのＰＲＢであってもよい（この時にＭが４である）。
【００８９】
さらに、上記Ｍの値は第二の値の整数倍であってもよく、ここで、第二の値が端末装置と前記ネットワーク装置によって定められた値、又は通信プロトコルにおいて予め定められた値である。即ち、Ｍの値の範囲が大きいが、通信過程におけるいくつかの特殊な要求を考慮し、Ｍの値がいくつかの値の整数倍である必要があり、例えばＭが３、９等の値の倍数であってもよい。
【００９０】
理解すべきものとして、本出願の実施例では上記Ｎ及びＭの値が限定されず、第一の値と第二の値との関係も限定されない。
【００９１】
選択可能に、一つの実施例として、端末装置がネットワーク装置から送信された第一の指示情報を受信する前に、図２における方法はさらに端末装置がネットワーク装置から送信された第二の指示情報を受信し、ここで、該第二の指示情報が該端末装置に割り当てられた初期動作帯域幅を示すことに用いられ、該初期動作帯域幅がシステム帯域幅より小さ
いことと、端末装置が該初期動作帯域幅、及び該初期動作帯域幅と基準信号のシーケンスの長さとの第三のプリセット関係に基づき、共有基準信号のシーケンスの長さを確定することとを含む。
【００９２】
端末装置がネットワークに初めてアクセスする場合、ネットワーク装置は端末装置にリソースグループを割り当てない可能性があり、この時、ネットワーク装置はまずシステム帯域幅で端末装置に一つの初期動作帯域幅を割り当てる。この時に端末装置がネットワークに初めてアクセスする時にもチャネル推定又はチャネル測定を実現することができるように、ネットワーク装置は指示情報により端末装置の初期動作帯域幅を通知し、これにより端末装置は初期動作帯域幅、及び初期動作帯域幅と共有基準信号のシーケンスの長さとの対応関係に基づいて共有基準信号のシーケンスの長さを確定することができ、さらにネットワークに初めてアクセスする時にもチャネル推定又はチャネル測定を実現することもできる。
【００９３】
理解すべきものとして、本出願の実施例では、端末装置がネットワーク装置から送信された第二の指示情報を受信することと端末装置がネットワーク装置から送信された第一の指示情報を受信することは相互に独立してもよく、即ち、端末装置は個別に第一の指示情報から得られたリソース情報に基づいて共有基準信号のシーケンスの長さを最終的に確定することができ、個別に第二の指示情報から確定された初期動作帯域幅に基づいて共有基準信号のシーケンスの長さを確定することもでき、又は、端末装置はさらにシステムに初めてアクセスする時に、第二の指示情報から確定された初期動作帯域幅に基づいて共有基準信号のシーケンスの長さを確定することができ、その後受信された第一の指示情報から得られたリソース情報に基づいて共有基準信号のシーケンスの長さを再度確定することができる。
【００９４】
選択可能に、上記第三のプリセット関係は第一のプリセット関係又は第二のプリセット関係と類似してもよく、即ち、第三のプリセット関係は基準信号のシーケンスの長さが初期動作帯域幅の倍数であることを示すことができ、該倍数が１より大きい整数であってもよく、さらにいくつかのネットワーク装置と端末装置によって予め定められたいくつかの特殊な値（例えば４又は８など）の倍数であってもよい。
【００９５】
理解すべきものとして、上記第二の指示情報はシステムメッセージ、ブロードキャストメッセージ又はＲＲＣメッセージに含まれてもよい。
【００９６】
図４は本出願の実施例による共有基準信号を復調するための方法の概略フローチャートである。図４に示す方法４００は、４１０と４２０を含む。
【００９７】
４１０において、端末装置はネットワーク装置から送信された第一の指示情報を受信する。
【００９８】
ここでの第一の指示情報はシステムメッセージ、ブロードキャストメッセージ又はＲＲＣメッセージに含まれてもよい。
【００９９】
４２０において、端末装置は第一の指示情報に基づいて共有基準信号のシーケンスにおいて端末装置に対応するターゲットシーケンスを確定し、ここで、該共有基準信号が複数の端末装置によって共有される基準信号であり、ターゲットシーケンスが共有基準信号において端末装置に対応するターゲット基準信号を復調することに用いられる。
【０１００】
本出願の実施例では、端末装置はネットワーク装置からの通知情報により共有基準信号のシーケンスにおいて該端末装置に対応するターゲットシーケンスを確定することができ、そしてターゲットシーケンスに対応するターゲット基準信号を復調することでチャネルに対する推定又は測定を実現することができる。
【０１０１】
上記共有基準信号のシーケンスの長さはシステム帯域幅に基づいて確定されてもよく、即ち、該ネットワーク装置とインタラクションを行う全ての端末装置は該共有基準信号に基づいてチャネルに対する推定又は測定を実現することができるが、該共有基準信号のシーケンスの長さが長すぎる場合、端末装置は共有基準信号のシーケンスにおける一つのセグメントのシーケンスを復調することだけでチャネルに対する測定又は推定を実現することができ、このようにして端末装置が共有基準信号に基づいてチャネルを推定又は測定する複雑さを簡素化することができる。
【０１０２】
選択可能に、上記第一の指示情報がターゲットシーケンスの位置情報を示すことに用いられ、この時に端末装置が第一の指示情報に基づいて共有基準信号のシーケンスにおいて端末装置に対応するターゲットシーケンスを確定することは、端末装置がターゲットシーケンスの位置情報及びターゲットシーケンスの長さに基づき、共有基準信号のシーケンスにおいて前記ターゲットシーケンスを確定することを含むことができる。
【０１０３】
さらに、上記第一の指示情報は具体的に共有基準信号のシーケンスにおけるターゲットシーケンスの開始位置を示すことに用いられてもよい。このようにして端末装置は第一の指示情報に基づいて共有基準信号のシーケンスにおいてターゲットシーケンスの開始位置を確定することができ、その後ターゲットシーケンスの長さに基づいて共有基準信号のシーケンスにおいてターゲットシーケンスを確定することができる。
【０１０４】
上記第一の指示情報はターゲットシーケンスの位置情報を直接示す以外、端末装置のリソース情報を示すことによりターゲットシーケンスの位置を間接的に示すことができる。
【０１０５】
選択可能に、上記第一の指示情報がターゲットリソースグループのリソース情報を示すことに用いられ、この時に端末装置が第一の指示情報に基づいて共有基準信号のシーケンスにおいて端末装置に対応するターゲットシーケンスを確定することは、端末装置がターゲットリソースグループのリソース情報に基づき、共有基準信号のシーケンスにおけるターゲットシーケンスの位置を確定することと、端末装置が共有基準信号のシーケンスにおけるターゲットシーケンスの位置及びターゲットシーケンスの長さに基づき、共有基準信号のシーケンスにおいてターゲットシーケンスを確定することを含むことができる。
【０１０６】
選択可能に、上記第一の指示情報はさらにシステムリソースにおけるターゲットリソースグループのリソースの位置を具体的に示すことができる。具体的には、システムリソースにおけるターゲットリソースグループのリソースの位置は開始位置、末尾位置又は他の位置情報であってもよい。ここでのシステムリソースは端末装置が位置するセルに含まれる全ての時間周波数リソースであってもよい。
【０１０７】
理解すべきものとして、ターゲットリソースグループのリソース位置とターゲットシーケンスの位置が一定の関連を有するため、端末装置はターゲットリソースグループのリソース位置を得た後にターゲットリソースグループのリソース位置とターゲットシーケンスとの対応関係に基づいてターゲットシーケンスの位置を確定することができる。
【０１０８】
即ち、ネットワーク装置は指示情報により共有基準信号のシーケンスにおけるターゲットシーケンスの開始位置を直接示すことができ、指示情報により共有基準信号のシーケンスにおけるターゲットシーケンスの開始位置を間接的又は暗示的に示すこともできる。
【０１０９】
理解すべきものとして、図２における方法は、端末装置が割り当てられたリソースグループのリソース情報に基づいて共有基準信号のシーケンスの長さを確定し、その後共有基準信号のシーケンスの長さに基づいて共有信号を復調することである。図４における方法では、端末装置は共有基準信号のシーケンスの長さを確定することなく、共有基準信号シーケンスにおける、端末装置自体に対応するターゲットシーケンスの位置を直接確定することができ、その後ターゲットシーケンスに基づいて共有基準信号に対する復調を実現することができる。
【０１１０】
以上に図２−図４を組み合わせて端末装置の観点から本出願の実施例による共有基準信号を復調するための方法を詳細に説明したが、以下に図５と図６を組み合わせてネットワーク装置の観点から本出願の実施例による共有基準信号を復調するための方法を説明する。
【０１１１】
理解すべきものとして、ネットワーク装置の観点から説明される本出願の実施例による共有基準信号を復調するための方法は端末装置の観点から説明された本出願の実施例による共有基準信号を復調するための方法に対応し、簡潔にするために、繰り返し説明を適切に省略する。
【０１１２】
図５は本出願の実施例による共有基準信号を復調するための方法の概略フローチャートである。図５に示す方法５００は、５１０と５２０を含む。
【０１１３】
５１０において、ネットワーク装置は第一の指示情報を確定し、前記第一の指示情報が前記端末装置に割り当てられたターゲットリソースグループのリソース情報を示すことに用いられる。
【０１１４】
５２０において、前記端末装置が前記第一の指示情報に基づいて前記ターゲットリソースグループのリソース情報を確定し、そして前記ターゲットリソースグループのリソース情報に基づき、共有基準信号のシーケンスの長さを確定するように、前記ネットワーク装置は前記端末装置へ前記第一の指示情報を送信し、ここで、前記共有基準信号が複数の端末装置によって共有される基準信号であり、前記共有基準信号のシーケンスの長さが前記共有基準信号を復調することに用いられる。
【０１１５】
本出願の実施例では、ネットワーク装置は指示情報により端末装置のターゲットリソースグループのリソース情報を通知し、これにより端末装置はターゲットリソースグループのリソース情報に基づいて共有基準信号のシーケンスの長さを確定し、さらに共有基準信号を復調し、最終的にチャネル推定又はチャネル測定を実現することができる。
【０１１６】
選択可能に、一つの実施例として、前記第一の指示情報は具体的に前記ターゲットリソースグループに含まれるリソース又は前記ターゲットリソースグループに含まれるリソースのリソースサイズを示すことに用いられる。
【０１１７】
選択可能に、一つの実施例として、前記第一の指示情報は具体的に前記ターゲットリソースグループの位置するターゲットリソース区間に含まれるリソース又は前記ターゲットリソース区間に含まれるリソースのリソースサイズを示すことに用いられる。
【０１１８】
選択可能に、一つの実施例として、前記第一の指示情報は具体的に前記ターゲットリソースグループに含まれるＰＲＢ又は前記ターゲットリソースグループに含まれるＰＲＢの数を示すことに用いられる。
【０１１９】
選択可能に、一つの実施例として、前記第一の指示情報は具体的に前記ターゲットリソース区間に含まれるＰＲＢ又は前記ターゲットリソース区間に含まれるＰＲＢの数を示すことに用いられる。
【０１２０】
選択可能に、一つの実施例として、前記ネットワーク装置が前記端末装置へ前記第一の指示情報を送信する前に、前記方法はさらに前記端末装置が前記初期動作帯域幅、及び動作帯域幅と基準信号のシーケンスの長さとの第二のプリセット関係に基づき、前記共有基準信号のシーケンスの長さを確定するように、前記ネットワーク装置が前記端末装置へ第二の指示情報を送信し、前記第二の指示情報が前記端末装置に割り当てられた初期動作帯域幅を示すことに用いられ、ここで、前記初期動作帯域幅がシステム帯域幅より小さいことを含む。
【０１２１】
図６は本出願の実施例による共有基準信号を復調するための方法の概略フローチャートである。図６に示す方法６００は、６１０と６２０を含む。
【０１２２】
６１０において、ネットワーク装置は第一の指示情報を確定する。
【０１２３】
６２０において、前記端末装置が前記第一の指示情報に基づいて共有基準信号のシーケンスにおいて前記端末装置に対応するターゲットシーケンスを確定するように、前記ネットワーク装置は端末装置へ前記第一の指示情報を送信し、ここで、前記共有基準信号が複数の端末装置によって共有される基準信号であり、前記ターゲットシーケンスが前記共有基準信号において前記端末装置に対応するターゲット基準信号を復調することに用いられる。
【０１２４】
本出願の実施例では、ネットワーク装置は指示情報により端末装置に対応するターゲットシーケンスを示すことができ、これにより端末装置はターゲットシーケンスを確定することができ、そしてターゲットシーケンスに対応するターゲット基準信号を復調することでチャネルチャネルに対する推定又は測定を実現することができる。
【０１２５】
選択可能に、一つの実施例として、前記第一の指示情報は前記ターゲットシーケンスの位置情報を示すことに用いられる。
【０１２６】
選択可能に、一つの実施例として、前記第一の指示情報は具体的に共有基準信号のシーケンスにおける前記ターゲットシーケンスの開始位置を示すことに用いられる。
【０１２７】
選択可能に、一つの実施例として、前記第一の指示情報は前記ターゲットリソースグループのリソース情報を示すことに用いられる。
【０１２８】
選択可能に、一つの実施例として、前記第一の指示情報は具体的にシステムリソースにおける前記ターゲットリソースグループのリソースの位置を示すことに用いられる。
【０１２９】
以上に図２−図６を組み合わせて本出願の実施例による共有基準信号を復調するための方法を詳細に説明したが、以下に図７−図１４を組み合わせて本出願の実施例による端末装置とネットワーク装置を説明する。理解すべきものとして、図７−図１４で説明される端末装置とネットワーク装置は図２−図６で説明された共有基準信号を復調するための方法の各ステップを実現することができ、簡潔にするために、繰り返し説明を適切に説明する。
【０１３０】
図７は本出願の実施例による端末装置の概略ブロック図である。図７の端末装置７００は、
ネットワーク装置から送信された第一の指示情報を受信するように構成され、前記第一の指示情報が前記端末装置に割り当てられたターゲットリソースグループのリソース情報を示すことに用いられる受信モジュール７１０と、
前記ターゲットリソースグループのリソース情報に基づき、共有基準信号のシーケンスの長さを確定するように構成され、ここで、前記共有基準信号が複数の端末装置によって共有される基準信号であり、前記共有基準信号のシーケンスの長さが共有基準信号を復調することに用いられる確定モジュール７２０とを備える。
【０１３１】
選択可能に、一つの実施例として、前記第一の指示情報が前記ターゲットリソースグループに含まれるリソース又は前記ターゲットリソースグループに含まれるリソースのリソースサイズを示すことに用いられ、前記確定モジュール７２０は、具体的に前記ターゲットリソースグループに含まれるソースから確定された前記ターゲットリソースグループのリソースサイズ、又は前記第一の指示情報に示される前記ターゲットリソースグループのリソースサイズに基づき、前記共有基準信号のシーケンスの長さを確定するように構成される。
【０１３２】
選択可能に、一つの実施例として、前記確定モジュール７２０は具体的に前記ターゲットリソースグループに含まれるリソースから確定された前記ターゲットリソースグループのリソースサイズ、又は前記第一の指示情報に示される前記ターゲットリソースグループのリソースサイズ、及びリソースサイズと基準信号のシーケンスの長さとの第一のプリセット関係に基づき、前記共有基準信号のシーケンスの長さを確定するように構成される。
【０１３３】
選択可能に、一つの実施例として、前記第一の指示情報が前記ターゲットリソースグループの位置するターゲットリソース区間に含まれるリソース又は前記ターゲットリソース区間に含まれるリソースのリソースサイズを示すことに用いられ、前記確定モジュール７２０は、具体的に前記ターゲットリソース区間に含まれるソースから確定された前記ターゲットリソース区間のリソースサイズ、又は前記第一の指示情報に示される前記ターゲットリソース区間のリソースサイズに基づき、前記共有基準信号のシーケンスの長さを確定するように構成される。
【０１３４】
選択可能に、一つの実施例として、前記確定モジュール７２０は具体的に前記ターゲットリソース区間に含まれるリソースから確定された前記ターゲットリソース区間のリソースサイズ、又は前記第一の指示情報に示される前記ターゲットリソース区間のリソースサイズ、及びリソースサイズと基準信号のシーケンスの長さとの第二のプリセット関係に基づき、前記共有基準信号のシーケンスの長さを確定するように構成される。
【０１３５】
選択可能に、一つの実施例として、前記第一の指示情報は具体的に前記ターゲットリソースグループに含まれるＰＲＢ又は前記ターゲットリソースグループに含まれるＰＲＢの数を示すことに用いられる。
【０１３６】
選択可能に、一つの実施例として、前記第一の指示情報は具体的に前記ターゲットリソース区間に含まれるＰＲＢ又は前記ターゲットリソース区間に含まれるＰＲＢの数を示すことに用いられる。
【０１３７】
選択可能に、一つの実施例として、前記第一のプリセット関係は基準信号のシーケンスの長さがリソースサイズのＮ倍であることを示し、ここで、Ｎが１以上の整数である。
【０１３８】
選択可能に、一つの実施例として、前記Ｎが第一の値の整数倍であり、ここで、前記第一の値が前記端末装置と前記ネットワーク装置によって予め定められた値である。
【０１３９】
選択可能に、一つの実施例として、前記第二のプリセット関係は基準信号のシーケンスの長さがリソースサイズのＮ倍であることを示し、ここで、Ｍが１以上の整数である。
【０１４０】
選択可能に、一つの実施例として、前記Ｍが第二の値の整数倍であり、ここで、前記第二の値が前記端末装置と前記ネットワーク装置によって予め定められた値である。
【０１４１】
選択可能に、一つの実施例として、前記受信モジュールがネットワーク装置から送信された第一の指示情報を受信する前に、前記受信モジュール７１０はさらに前記ネットワーク装置から送信された第二の指示情報を受信するように構成され、前記第二の指示情報が前記端末装置に割り当てられた初期動作帯域幅を示すことに用いられ、前記初期動作帯域幅がシステム帯域幅より小さく、前記確定モジュール７２０は具体的に前記初期動作帯域幅、及び動作帯域幅と基準信号のシーケンスの長さとの第三のプリセット関係に基づき、前記共有基準信号のシーケンスの長さを確定するように構成される。
【０１４２】
図８は本出願の実施例による端末装置の概略ブロック図である。図８の端末装置８００は、
ネットワーク装置から送信された第一の指示情報を受信するように構成される受信モジュール８１０と、
前記第一の指示情報に基づいて共有基準信号のシーケンスにおいて前記端末装置に対応するターゲットシーケンスを確定するように構成され、ここで、前記共有基準信号が複数の端末装置によって共有される基準信号であり、前記ターゲットシーケンスが前記共有基準信号において前記端末装置に対応するターゲット基準信号を復調することに用いられる確定モジュール８２０とを備える。
【０１４３】
選択可能に、一つの実施例として、前記第一の指示情報が前記ターゲットシーケンスの位置情報を示すことに用いられ、前記確定モジュール８２０は具体的に前記ターゲットシーケンスの位置情報及び前記ターゲットシーケンスの長さに基づき、前記共有基準信号のシーケンスにおいて前記ターゲットシーケンスを確定するように構成される。
【０１４４】
選択可能に、一つの実施例として、前記第一の指示情報は具体的に共有基準信号のシーケンスにおける前記ターゲットシーケンスの開始位置を示すことに用いられる。
【０１４５】
選択可能に、一つの実施例として、前記第一の指示情報が前記ターゲットリソースグループのリソース情報を示すことに用いられ、前記確定モジュール８２０は具体的に前記ターゲットリソースグループのリソース情報に基づき、共有基準信号のシーケンスにおける前記ターゲットシーケンスの位置を確定し、共有基準信号のシーケンスにおける前記ターゲットシーケンスの位置及び前記ターゲットシーケンスの長さに基づき、前記共有基準信号のシーケンスにおいて前記ターゲットシーケンスを確定するように構成される。
【０１４６】
選択可能に、一つの実施例として、前記第一の指示情報は具体的にシステムリソースにおける前記ターゲットリソースグループのリソースの位置を示すことに用いられる。
【０１４７】
図９は本出願の実施例によるネットワーク装置の概略ブロック図である。図９のネットワーク装置９００は、
第一の指示情報を確定するように構成され、前記第一の指示情報が前記端末装置に割り当てられたターゲットリソースグループのリソース情報を示すことに用いられる確定モジュール９１０と、
前記端末装置が前記第一の指示情報に基づいて前記ターゲットリソースグループのリソース情報を確定し、そして前記ターゲットリソースグループのリソース情報に基づき、共有基準信号のシーケンスの長さを確定するように、前記端末装置へ前記第一の指示情報を送信するように構成され、ここで、前記共有基準信号が複数の端末装置によって共有される基準信号であり、前記共有基準信号のシーケンスの長さが前記共有基準信号を復調することに用いられる前記送信モジュール９２０とを備える。
【０１４８】
選択可能に、一つの実施例として、前記第一の指示情報は具体的に前記ターゲットリソースグループに含まれるリソース又は前記ターゲットリソースグループに含まれるリソースのリソースサイズを示すことに用いられる。
【０１４９】
選択可能に、一つの実施例として、前記第一の指示情報は具体的に前記ターゲットリソースグループの位置するターゲットリソース区間に含まれるリソース又は前記ターゲットリソース区間に含まれるリソースのリソースサイズを示すことに用いられる。
【０１５０】
選択可能に、一つの実施例として、前記第一の指示情報は具体的に前記ターゲットリソースグループに含まれるＰＲＢ又は前記ターゲットリソースグループに含まれるＰＲＢの数を示すことに用いられる。
【０１５１】
選択可能に、一つの実施例として、前記第一の指示情報は具体的に前記ターゲットリソース区間に含まれるＰＲＢ又は前記ターゲットリソース区間に含まれるＰＲＢの数を示すことに用いられる。
【０１５２】
選択可能に、一つの実施例として、前記送信モジュール９２０が前記端末装置へ前記第一の指示情報を送信する前に、前記送信モジュール９２０はさらに前記端末装置が前記初期動作帯域幅、及び動作帯域幅と基準信号のシーケンスの長さとの第二のプリセット関係に基づき、前記共有基準信号のシーケンスの長さを確定するように、前記端末装置へ第二の指示情報を送信するように構成され、前記第二の指示情報が前記端末装置に割り当てられた初期動作帯域幅を示すことに用いられ、ここで、前記初期動作帯域幅がシステム帯域幅より小さい。
【０１５３】
図１０は本出願の実施例によるネットワーク装置の概略ブロック図である。図１０のネットワーク装置１０００は、
第一の指示情報を確定するように構成される確定モジュール１０１０と、
前記端末装置が前記第一の指示情報に基づいて共有基準信号のシーケンスにおいて前記端末装置に対応するターゲットシーケンスを確定するように、端末装置へ前記第一の指示情報を送信するように構成され、ここで、前記共有基準信号が複数の端末装置によって共有される基準信号であり、前記ターゲットシーケンスが前記共有基準信号において前記端末装置に対応するターゲット基準信号を復調することに用いられる送信モジュール１０２０とを備える。
【０１５４】
選択可能に、一つの実施例として、前記第一の指示情報は前記ターゲットシーケンスの位置情報を示すことに用いられる。
【０１５５】
選択可能に、一つの実施例として、前記第一の指示情報は具体的に共有基準信号のシーケンスにおける前記ターゲットシーケンスの開始位置を示すことに用いられる。
【０１５６】
選択可能に、一つの実施例として、前記第一の指示情報は前記ターゲットリソースグループのリソース情報を示すことに用いられる。
【０１５７】
選択可能に、一つの実施例として、前記第一の指示情報は具体的にシステムリソースにおける前記ターゲットリソースグループのリソースの位置を示すことに用いられる。
【０１５８】
図１１は本出願の実施例による端末装置の概略ブロック図である。図１１の端末装置１１００は、送受信機１１１０とプロセッサ１１２０を備える。
【０１５９】
ここで、前記送受信機１１１０はネットワーク装置から送信された第一の指示情報を受信するように構成され、前記第一の指示情報が前記端末装置に割り当てられたターゲットリソースグループのリソース情報を示すことに用いられる。
【０１６０】
前記プロセッサ１１２０はターゲットリソースグループのリソース情報に基づき、共有基準信号のシーケンスの長さを確定するように構成され、ここで、共有基準信号が複数の端末装置によって共有される基準信号であり、共有基準信号のシーケンスの長さが共有基準信号を復調することに用いられる。
【０１６１】
選択可能に、一つの実施例として、前記第一の指示情報が前記ターゲットリソースグループに含まれるリソース又は前記ターゲットリソースグループに含まれるリソースのリソースサイズを示すことに用いられ、前記プロセッサ１１２０は、具体的に前記ターゲットリソースグループに含まれるソースから確定された前記ターゲットリソースグループのリソースサイズ、又は前記第一の指示情報に示される前記ターゲットリソースグループのリソースサイズに基づき、前記共有基準信号のシーケンスの長さを確定するように構成される。
【０１６２】
選択可能に、一つの実施例として、前記プロセッサ１１２０は具体的に前記ターゲットリソースグループに含まれるリソースから確定された前記ターゲットリソースグループのリソースサイズ、又は前記第一の指示情報に示される前記ターゲットリソースグループのリソースサイズ、及びリソースサイズと基準信号のシーケンスの長さとの第一のプリセット関係に基づき、前記共有基準信号のシーケンスの長さを確定するように構成される。
【０１６３】
選択可能に、一つの実施例として、前記第一の指示情報が前記ターゲットリソースグループの位置するターゲットリソース区間に含まれるリソース又は前記ターゲットリソース区間に含まれるリソースのリソースサイズを示すことに用いられ、前記プロセッサ１１２０は、具体的に前記ターゲットリソース区間に含まれるソースから確定された前記ターゲットリソース区間のリソースサイズ、又は前記第一の指示情報に示される前記ターゲットリソース区間のリソースサイズに基づき、前記共有基準信号のシーケンスの長さを確定するように構成される。
【０１６４】
選択可能に、一つの実施例として、前記プロセッサ１１２０は具体的に前記ターゲットリソース区間に含まれるリソースから確定された前記ターゲットリソース区間のリソースサイズ、又は前記第一の指示情報に示される前記ターゲットリソース区間のリソースサイズ、及びリソースサイズと基準信号のシーケンスの長さとの第二のプリセット関係に基づき、前記共有基準信号のシーケンスの長さを確定するように構成される。
【０１６５】
選択可能に、一つの実施例として、前記第一の指示情報は具体的に前記ターゲットリソースグループに含まれるＰＲＢ又は前記ターゲットリソースグループに含まれるＰＲＢの数を示すことに用いられる。
【０１６６】
選択可能に、一つの実施例として、前記第一の指示情報は具体的に前記ターゲットリソース区間に含まれるＰＲＢ又は前記ターゲットリソース区間に含まれるＰＲＢの数を示すことに用いられる。
【０１６７】
選択可能に、一つの実施例として、前記第一のプリセット関係は基準信号のシーケンスの長さがリソースサイズのＮ倍であることを示し、ここで、Ｎが１以上の整数である。
【０１６８】
選択可能に、一つの実施例として、前記Ｎが第一の値の整数倍であり、ここで、前記第一の値が前記端末装置と前記ネットワーク装置によって予め定められた値である。
【０１６９】
選択可能に、一つの実施例として、前記第二のプリセット関係は基準信号のシーケンスの長さがリソースサイズのＭ倍であることを示し、ここで、Ｍが１以上の整数である。
【０１７０】
選択可能に、一つの実施例として、前記Ｍが第二の値の整数倍であり、ここで、前記第二の値が前記端末装置と前記ネットワーク装置によって予め定められた値である。
【０１７１】
選択可能に、一つの実施例として、前記受信モジュールがネットワーク装置から送信された第一の指示情報を受信する前に、前記送受信機１１１０はさらに前記ネットワーク装置から送信された第二の指示情報を受信するように構成され、前記第二の指示情報が前記端末装置に割り当てられた初期動作帯域幅を示すことに用いられ、前記初期動作帯域幅がシステム帯域幅より小さく、前記プロセッサ１１２０は具体的に前記初期動作帯域幅、及び動作帯域幅と基準信号のシーケンスの長さとの第三のプリセット関係に基づき、前記共有基準信号のシーケンスの長さを確定するように構成される。
【０１７２】
図１２は本出願の実施例による端末装置の概略ブロック図である。図１２の端末装置１２００は、送受信機１２１０とプロセッサ１２２０を備える。
【０１７３】
ここで、前記送受信機１２１０はネットワーク装置から送信された第一の指示情報を受信するように構成される。
【０１７４】
前記プロセッサ１２２０は前記第一の指示情報に基づいて共有基準信号のシーケンスにおいて前記端末装置に対応するターゲットシーケンスを確定するように構成され、ここで、前記共有基準信号が複数の端末装置によって共有される基準信号であり、前記ターゲットシーケンスが前記共有基準信号において前記端末装置に対応するターゲット基準信号を復調することに用いられる。
【０１７５】
選択可能に、一つの実施例として、前記第一の指示情報が前記ターゲットシーケンスの位置情報を示すことに用いられ、前記プロセッサ１２２０は具体的に前記ターゲットシーケンスの位置情報及び前記ターゲットシーケンスの長さに基づき、前記共有基準信号のシーケンスにおいて前記ターゲットシーケンスを確定するように構成される。
【０１７６】
選択可能に、一つの実施例として、前記第一の指示情報は具体的に共有基準信号のシーケンスにおける前記ターゲットシーケンスの開始位置を示すことに用いられる。
【０１７７】
選択可能に、一つの実施例として、前記第一の指示情報が前記ターゲットリソースグループのリソース情報を示すことに用いられ、前記プロセッサ１２２０は具体的に前記ターゲットリソースグループのリソース情報に基づき、共有基準信号のシーケンスにおける前記ターゲットシーケンスの位置を確定し、共有基準信号のシーケンスにおける前記ターゲットシーケンスの位置及び前記ターゲットシーケンスの長さに基づき、前記共有基準信号のシーケンスにおいて前記ターゲットシーケンスを確定するように構成される。
【０１７８】
選択可能に、一つの実施例として、前記第一の指示情報は具体的にシステムリソースにおける前記ターゲットリソースグループのリソースの位置を示すことに用いられる。
【０１７９】
図１３は本出願の実施例によるネットワーク装置の概略ブロック図である。図１３のネットワーク装置１３００は、プロセッサ１３１０と送受信機１３２０を備える。
【０１８０】
ここで、前記プロセッサ１３１０は第一の指示情報を確定するように構成され、前記第一の指示情報が前記端末装置に割り当てられたターゲットリソースグループのリソース情報を示すことに用いられる。
【０１８１】
前記送受信機１３２０は、前記端末装置が前記第一の指示情報に基づいて前記ターゲットリソースグループのリソース情報を確定し、そして前記ターゲットリソースグループのリソース情報に基づき、共有基準信号のシーケンスの長さを確定するように、前記端末装置へ前記第一の指示情報を送信するように構成され、ここで、前記共有基準信号が複数の端末装置によって共有される基準信号であり、前記共有基準信号のシーケンスの長さが前記共有基準信号を復調することに用いられる。
【０１８２】
選択可能に、一つの実施例として、前記第一の指示情報は具体的に前記ターゲットリソースグループに含まれるリソース又は前記ターゲットリソースグループに含まれるリソースのリソースサイズを示すことに用いられる。
【０１８３】
選択可能に、一つの実施例として、前記第一の指示情報は具体的に前記ターゲットリソースグループの位置するターゲットリソース区間に含まれるリソース又は前記ターゲットリソース区間に含まれるリソースのリソースサイズを示すことに用いられる。
【０１８４】
選択可能に、一つの実施例として、前記第一の指示情報は具体的に前記ターゲットリソースグループに含まれるＰＲＢ又は前記ターゲットリソースグループに含まれるＰＲＢの数を示すことに用いられる。
【０１８５】
選択可能に、一つの実施例として、前記第一の指示情報は具体的に前記ターゲットリソース区間に含まれるＰＲＢ又は前記ターゲットリソース区間に含まれるＰＲＢの数を示すことに用いられる。
【０１８６】
選択可能に、一つの実施例として、前記送受信機１３２０が前記端末装置へ前記第一の指示情報を送信する前に、前記送受信機１３２０はさらに前記端末装置が前記初期動作帯域幅、及び動作帯域幅と基準信号のシーケンスの長さとの第二のプリセット関係に基づき、前記共有基準信号のシーケンスの長さを確定するように、前記端末装置へ第二の指示情報を送信するように構成され、前記第二の指示情報が前記端末装置に割り当てられた初期動作帯域幅を示すことに用いられ、ここで、前記初期動作帯域幅がシステム帯域幅より小さい。
【０１８７】
図１４は本出願の実施例によるネットワーク装置の概略ブロック図である。図１４のネットワーク装置１４００は、プロセッサ１４１０と送受信機１４２０を備える。
【０１８８】
ここで、前記プロセッサ１４１０は第一の指示情報を確定するように構成される。
【０１８９】
前記送受信機１４２０は、前記端末装置が前記第一の指示情報に基づいて共有基準信号のシーケンスにおいて前記端末装置に対応するターゲットシーケンスを確定するように、端末装置へ前記第一の指示情報を送信するように構成され、ここで、前記共有基準信号が複数の端末装置によって共有される基準信号であり、前記ターゲットシーケンスが前記共有基準信号において前記端末装置に対応するターゲット基準信号を復調することに用いられる。
【０１９０】
選択可能に、一つの実施例として、前記第一の指示情報は前記ターゲットシーケンスの位置情報を示すことに用いられる。
【０１９１】
選択可能に、一つの実施例として、前記第一の指示情報は具体的に共有基準信号のシーケンスにおける前記ターゲットシーケンスの開始位置を示すことに用いられる。
【０１９２】
選択可能に、一つの実施例として、前記第一の指示情報は前記ターゲットリソースグループのリソース情報を示すことに用いられる。
【０１９３】
選択可能に、一つの実施例として、前記第一の指示情報は具体的にシステムリソースにおける前記ターゲットリソースグループのリソースの位置を示すことに用いられる。
【０１９４】
図１５は本出願の実施例によるシステムチップの概略構造図である。図１５のシステムチップ１５００は入力インタフェース１５０１、出力インタフェース１５０２、プロセッサ１５０３とメモリ１５０４を備え、前記入力インタフェース１５０１、出力インタフェース１５０２、前記プロセッサ１５０３及びメモリ１５０４がバス１５０５を介して接続され、前記プロセッサ１５０３が前記メモリ１５０４でのコードを実行するように構成される。
【０１９５】
選択可能に、前記コードが実行される場合、前記プロセッサ１５０３は本出願の方法の実施例における端末装置によって実行される方法を実現する。簡潔にするために、ここでは説明を省略する。
【０１９６】
選択可能に、前記コードが実行される場合、前記プロセッサ１５０３は方法の実施例におけるネットワーク装置によって実行される方法を実現する。簡潔にするために、ここでは説明を省略する。
【０１９７】
当業者であれば、本明細書で開示された実施例と組み合わせて説明された各例のユニット及びアルゴリズムステップは、電子ハードウェア、又はコンピュータソフトウェアと電子ハードウェアの組み合わせで実現されてもよいと理解できる。これらの機能がハードウエア又はソフトウエアで実行されるかは、技術的解決策の特徴応用と設計制約条件に依存する。当業者は各特定の応用に対して異なる方法を用いて記述される機能を実現することが可能だが、但しこのような実現は本発明の範囲を超えると見なしてはならない。
【０１９８】
当業者は、便利および簡潔に説明するために、上記のシステム、装置及びユニットの具体的な動作プロセスについて、前記方法の実施例における対応するプロセスを参照できるため、ここでは説明を省略することを明確に理解することができる。
【０１９９】
本出願が提供する、いくつかの実施例では、開示されたシステム、装置および方法は、他の方式により実現されてもよいと理解すべきである。例えば、上記の装置の実施例は例示的なものだけであり、例えば、前記ユニットの区分は、論理機能的区分だけであり、実際に実施する時に他の区分モードもあり得て、例えば複数のユニット又は構成要素は組み合わせてもよい又は別のシステムに統合されてもよく、又はいくつかの特徴は無視されてもよく、又は実行されなくてもよい。また、示される又は議論される相互結合又は直接結合又は通信接続はいくつかのインターフェース、装置又は機能モジュールを介する間接的結合又は通信接続であってもよく、電気的、機械的又は他の形態であってもよい。
【０２００】
分離部材として説明された前記ユニットは物理的に分離するものであってもよく又は物理的に分離するものでなくてもよく、ユニットとして表示された部材は物理的要素であってもよく又は物理的ユニットでなくてもよく、即ち一つの箇所に位置してもよく、又は複数のネットワーク要素に分布してもよい。実際のニーズに応じてそのうちの一部又は全てのユニットを選択して本実施例の技術的解決策の目的を達成することができる。
【０２０１】
また、本発明の各実施例における各機能ユニットは一つの処理ユニットに統合されてもよく、個々のユニットは単独で物理的に存在してもよく、二つ又は二つ以上のユニットは一つのユニットに統合されてもよい。
【０２０２】
前記機能はソフトウェア機能ユニットの形態で実現され且つ独立した製品として販売又は使用される時に、一つのコンピュータ読み取り可能な記憶媒体に格納されてもよい。このような理解に基づき、本発明の技術的解決策は本質的に又は従来技術に寄与する部分又は該技術的解決策の部分がソフトウェア製品の形で実現されてもよく、該コンピュータソフトウェア製品がコンピュータ装置（パーソナルコンピュータ、サーバ、又はネットワークデバイス等であってもよい）に本発明の様々な実施例に記載された方法の全て又は部分のステップを実行させるためのいくつかの命令を含む、記憶媒体に記憶される。前記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０２０３】
以上は、本発明の具体的な実施形態だけであり、本発明の保護範囲はこれに制限されず、当業者が本発明に開示された技術範囲内で容易に想到し得る変化又は入れ替わりが全て本発明の保護範囲以内に含まれるべきである。したがって、本発明の保護範囲は前記特許請求の範囲に準拠するべきである。そのため、本発明の保護範囲は前記請求項の保護範囲に準ずる。
【図１】
0006880191.tif 000002
【図２】
0006880191.tif 000003
【図３】
0006880191.tif 000004
【図４】
0006880191.tif 000005
【図５】
0006880191.tif 000006
【図６】
0006880191.tif 000007
【図７】
0006880191.tif 000008
【図８】
0006880191.tif 000009
【図９】
0006880191.tif 000010
【図１０】
0006880191.tif 000011
【図１１】
0006880191.tif 000012
【図１２】
0006880191.tif 000013
【図１３】
0006880191.tif 000014
【図１４】
0006880191.tif 000015
【図１５】
0006880191.tif 000016